(57)【要約】【課題】電池端子の設置に必要な部品数が少なく、且つ該電池端子の配置に関して高い設計自由度を有する電子機器を提供する。【解決手段】本発明に係る電子機器は、電池を収容するための収容部７と、電池が接続されるべき電池端子が設けられた端子台８とを具え、該端子台８が、電池端子を収容部７の内側へ向けて露出させた姿勢で該収容部７に固定されている。ここで、収容部７は、２つの収容部構成部材を接合して構成されており、該２つの収容部構成部材の接合面の内、少なくとも一方の接合面には有底凹部53が開設され、端子台８は、電池端子を収容部７の内側へ向けた姿勢で有底凹部53に設置されると共に、２つの収容部構成部材によって挟持されている。【選択図】図９
2011139275.tif 000002
【特許請求の範囲】
【請求項１】
電池を収容するための収容部と、前記電池が接続されるべき電池端子が設けられた端子台とを具え、該端子台が、電池端子を前記収容部の内側へ向けて露出させた姿勢で該収容部に固定されている電子機器において、
前記収容部は、２つの収容部構成部材を接合して構成されており、該２つの収容部構成部材の接合面の内、少なくとも一方の接合面には有底凹部が開設され、前記端子台は、電池端子を収容部の内側へ向けた姿勢で前記有底凹部に設置されると共に、前記２つの収容部構成部材によって挟持されていることを特徴とする電子機器。
【請求項２】
前記２つの収容部構成部材の接合面の内、一方の接合面に開設されている前記有底凹部と、該有底凹部に設置された端子台との対向面には、該有底凹部と端子台とを互いに係合させる係合機構が設けられている請求項１に記載の電子機器。
【請求項３】
前記係合機構は、前記有底凹部と端子台との対向面の内、何れか一方の対向面に形成された突起部と、他方の対向面に凹設されて前記突起部が係合すべき溝部とから構成されている請求項２に記載の電子機器。
【請求項４】
前記２つの収容部構成部材の接合面の内、他方の接合面と端子台との対向面には、該接合面と端子台とを互いに係合させる第２の係合機構が設けられている請求項２又は請求項３に記載の電子機器。
【発明の詳細な説明】
【技術分野】
【０００１】
本発明は、カメラや携帯電話機等の電子機器に関する。
【背景技術】
【０００２】
この種の電子機器は、電池を収容するための収容部と、電池が接続されるべき電池端子が設けられた端子台とを具え、該端子台が、電池端子を収容部の内側へ向けて露出させた姿勢で該収容部に固定されている（例えば、特許文献１参照）。
【０００３】
従来、端子台を収容部に固定するべく、端子台は、筐体内部に設置されているシャーシにビス留めされていた。或いは、端子台は回路基板に搭載され、該回路基板がシャーシにビス留めされていた。
【先行技術文献】
【特許文献】
【０００４】
【特許文献１】特開２００６−２５３０８４号公報
【発明の概要】
【発明が解決しようとする課題】
【０００５】
しかしながら、収容部への端子台の固定手段としてビス等の留め具が用いられていた従来の電子機器においては、電池端子の設置に必要な部品数が増大し、その結果として、電子機器の組み立て工程が煩雑化する問題や、電子機器が大型化する問題があった。又、ビス留め位置や回路基板の位置との関係で端子台を設ける位置及び姿勢が制限されるため、電池端子の配置に関して設計自由度が低い問題があった。
【０００６】
そこで本発明の目的は、電池端子の設置に必要な部品数が少なく、且つ該電池端子の配置に関して高い設計自由度を有する電子機器を提供することである。
【課題を解決するための手段】
【０００７】
本発明に係る電子機器は、電池を収容するための収容部と、前記電池が接続されるべき電池端子が設けられた端子台とを具え、該端子台が、電池端子を前記収容部の内側へ向けて露出させた姿勢で該収容部に固定されている。ここで、前記収容部は、２つの収容部構成部材を接合して構成されており、該２つの収容部構成部材の接合面の内、少なくとも一方の接合面には有底凹部が開設され、前記端子台は、電池端子を収容部の内側へ向けた姿勢で前記有底凹部に設置されると共に、前記２つの収容部構成部材によって挟持されている。
【０００８】
上記電子機器の組み立て工程においては、２つの収容部構成部材の内、一方の収容部構成部材の接合面に開設されている有底凹部に、端子台が、電池端子を該一方の収容部構成部材の内側へ向けた姿勢で設置される。その後、２つの収容部構成部材が互いに接合されて収容部が構成される。このとき、端子台は、２つの収容部構成部材によって挟持されて、収容部に固定されることになる。
【０００９】
従って、上記電子機器によれば、ビス等の留め具を用いずに端子台を収容部に固定することが出来、その結果、電池端子の設置に必要な部品数の削減、組み立て工程の簡略化が実現されることになる。又、収容部への端子台の固定手段としてビス等の留め具が用いられていた従来の電子機器に比べて、端子台を設ける位置及び姿勢の制限が緩和され、電池端子の配置に関して高い設計自由度が得られることになる。
【００１０】
上記電子機器の具体的構成において、前記２つの収容部構成部材の接合面の内、一方の接合面に開設されている前記有底凹部と、該有底凹部に設置された端子台との対向面には、該有底凹部と端子台とを互いに係合させる係合機構が設けられている。
【００１１】
該具体的構成によれば、有底凹部と端子台とが係合機構を介して互いに係合することになる。よって、２つの収容部構成部材によって挟持されて固定された端子台は、有底凹部の内側の位置からずれることがない。
【００１２】
上記電子機器のより具体的な構成において、前記係合機構は、前記有底凹部と端子台との対向面の内、何れか一方の対向面に形成された突起部と、他方の対向面に凹設されて前記突起部が係合すべき溝部とから構成されている。
【００１３】
上記電子機器の他のより具体的な構成において、前記２つの収容部構成部材の接合面の内、他方の接合面と端子台との対向面には、該接合面と端子台とを互いに係合させる第２の係合機構が設けられている。
【発明の効果】
【００１４】
本発明に係る電子機器は、電池端子の設置に必要な部品数が少なく、且つ該電池端子の配置に関して高い設計自由度を有する。
【図面の簡単な説明】
【００１５】
【図１】図１は、本発明の一実施態様であるビデオカメラを第２開き状態で正面側から見た斜視図である。
【図２】図２は、該ビデオカメラを第２開き状態で背面側から見た斜視図である。
【図３】図３は、該ビデオカメラの第２開き状態の側面図である。
【図４】図４は、該ビデオカメラの第１開き状態の正面図である。
【図５】図５は、該ビデオカメラの閉じ状態の背面図である。
【図６】図６は、該ビデオカメラが具える第１筐体の分解斜視図である。
【図７】図７は、該第１筐体内に設置されているシャーシ本体と回路基板とを示す分解斜視図である。
【図８】図８は、該シャーシ本体と回路基板との組み立て状態を該回路基板側から見た斜視図である。
【図９】図９は、図８に示されるＡ領域の分解斜視図である。
【図１０】図１０は、シャーシ本体の枠部に形成されている有底凹部への端子台の設置状態を、端子台に設けられている電池端子側から見た斜視図である。
【図１１】図１１は、シャーシ本体の枠部に形成されている有底凹部への端子台の設置状態を、該端子台から引き出されているリード線側から見た斜視図である。
【図１２】図１２は、図８に示されるＢ領域の拡大図であり、シャーシ本体の枠部と金属板との接合状態を示している。
【図１３】図１３は、電池端子が設けられた端子台を示す斜視図である。
【図１４】図１４は、図１３に示される端子台を上下逆にして示した斜視図である。
【図１５】図１５は、図８において金属板を省略して示した斜視図である。
【発明を実施するための形態】
【００１６】
以下、本発明を静止画及び動画の撮影が可能なビデオカメラに実施した形態につき、図面に沿って具体的に説明する。
図１及び図２に示す様に、本発明の一実施態様であるビデオカメラは、第１筐体(１)と第２筐体(２)を具えている。両筐体(１)(２)は、図３に示す様に２軸ヒンジ機構(３)によって互いに開閉可能に連結されおり、ビデオカメラには、図５に示す様に第２筐体(２)が第１筐体(１)に対して閉じられた閉じ状態と、図４に示す様に第２筐体(２)が第１筐体(１)に対して開かれた第１開き状態と、図１〜図３に示す様に該第１開き状態から第２筐体(２)を回動させた第２開き状態とを設定することが可能である。
【００１７】
図５に示す様に、第１筐体(１)には、ビデオカメラが閉じ状態に設定されたときに第２筐体(２)と対向する領域に把持部(４)が形成されている。ビデオカメラは、図１〜図３に示す様に第２開き状態に設定されて、把持部(４)を手で把持することにより使用される。
【００１８】
又、図４に示す様に、第１筐体(１)の底部には、三脚（図示せず）を取り付けるための取付け座(10)が設けられている。ここで、取付け座(10)には、三脚に形成された雄ネジが捻じ込まれる雌ネジが形成され、該雌ネジは第１筐体(１)の底面に露出している。取付け座(10)を利用してビデオカメラを三脚に取り付けることにより、該ビデオカメラを床や地面に設置して使用することが可能となる。
【００１９】
第１筐体(１)の前部には、図１に示す様に、撮影レンズ(11)及び照明用のＬＥＤ（Light  Emitting  Diode）(12)が配備される一方、第１筐体(１)の後部には、図２に示す様に、静止画撮影を指示するシャッター釦(13)、ズーム釦(14)、動画撮影を指示する録画釦(15)、及びアクセスランプ(16)が配備されている。
又、第１筐体(１)の把持部(４)の表面には、図３及び図４に示す様に、ビデオカメラが閉じ状態に設定されたときに第２筐体(２)によって覆われる領域に、電源釦(17)及びカード蓋(18)が配備されている。又、該領域には、後述する充電池を収容するための収容部(７)が凹設されており、該収容部(７)の開口は電池蓋(19)により塞がれている。
【００２０】
第２筐体(２)の外面には、図１に示す様に、一対のマイクロホン(22)(22)が配備される一方、第２筐体(２)の内面には、図２に示す様に、液晶ディスプレイ(21)が配備されると共に、該液晶ディスプレイ(21)の配置領域とは別の領域に、録画／再生キー(23)、メニューキー(24)、十字キー(25)及びセットキー(26)が配備されている。尚、第２筐体(２)の外面にはメッキ処理が施されている。
【００２１】
図６に示す様に、第１筐体(１)は、シャーシ(５)に対して、第１筐体(１)の湾曲した上面壁を構成する第１キャビネット部品(101)と、図６の紙面において第１筐体(１)の右側面壁を構成する第２キャビネット部品(102)と、図６の紙面において第１筐体(１)の上部の左側面壁を構成する第３キャビネット部品(103)とを取り付けて構成されている。ここで、第１キャビネット部品(101)及び第３キャビネット部品(103)は合成樹脂製であるのに対し、第２キャビネット部品(102)はアルミニウム製である。
【００２２】
シャーシ(５)は、図７に示す如くシャーシ本体(50)を有しており、該シャーシ本体(50)に対して、第１キャビネット部品(101)、第２キャビネット部品(102)、及び第３キャビネット部品(103)が取り付けられている。ここで、シャーシ本体(50)はマグネシウム製である。
【００２３】
又、シャーシ本体(50)の第２キャビネット部品(102)側の表面には、ＡＳＩＣ（Application  Specific  Integrated  Circuit）等の制御回路(60)が搭載された回路基板(６)が設置されている。回路基板(６)には、収容部(７)に収容された充電池から電力が供給され、回路基板(６)上の制御回路(60)は、該電力の供給を受けて駆動することになる。
【００２４】
シャーシ本体(50)の下部には枠部(51)が形成され、該枠部(51)には、図８に示す様に第２キャビネット部品(102)側から金属板(70)が接合されている。斯くして、シャーシ本体(50)の枠部(51)と金属板(70)とから収容部(７)が構成されている。
【００２５】
図９に示す様に、シャーシ本体(50)の枠部(51)と金属板(70)の接合面(52)(71)の内、枠部(51)側の接合面(52)には、有底凹部(53)が開設されている。該有底凹部(53)には、枠部(51)と金属板(70)とが互いに接合される前に、図１０及び図１１に示す様に、３つの電池端子(80)〜(80)が設けられた端子台(８)が該３つの電池端子(80)〜(80)を枠部(51)の内側へ向けた姿勢で設置される。
【００２６】
端子台(８)からは３本のリード線(81)〜(81)が引き出され、該３本のリード線(81)〜(81)はそれぞれ、端子台(８)の内部で３つの電池端子(80)〜(80)に電気的に接続されている。図１０及び図１１に示す様に、有底凹部(53)に端子台(８)が設置されたとき、３本のリード線(81)〜(81)は、端子台(８)からシャーシ本体(50)の枠部(51)の外側へ引き出されることになる。図示していないが、３本のリード線(81)〜(81)は、枠部(51)の外側を通って回路基板(６)に電気的に接続される。
【００２７】
有底凹部(53)に端子台(８)が設置された後、図１２に示す様にシャーシ本体(50)の枠部(51)に金属板(70)が接合されて収容部(７)が構成される。このとき、端子台(８)は、枠部(51)と金属板(70)とによって挟持されることになる。
【００２８】
ここで、図９に示す様に、有底凹部(53)の底面(531)には第１突起部(54)が形成される一方、図１４に示す様に（図９も参照）、端子台(８)の表面の内、有底凹部(53)に端子台(８)が設置されたときに該有底凹部(53)の底面(531)と対向することとなる領域(801)には、第１突起部(54)が係合すべき第１溝部(82)が凹設されている。
【００２９】
従って、図１０及び図１１に示す如く有底凹部(53)に端子台(８)が設置されることにより、第１突起部(54)が第１溝部(82)に係合し、これにより有底凹部(53)と端子台(８)とが互いに係合することになる。斯くして、有底凹部(53)と端子台(８)との対向面には、第１突起部(54)と第１溝部(82)とによって構成されて有底凹部(53)と端子台(８)とを互いに係合させる係合機構が設けられることになる。
【００３０】
又、図９に示す様に、金属板(70)側の接合面(71)の内、枠部(51)側の接合面(52)に形成されている有底凹部(53)と対向する領域には、第２突起部(72)が形成される一方、図１３に示す様に（図９及び図１０も参照）、端子台(８)の表面の内、有底凹部(53)に端子台(８)が設置されたときに枠部(51)側の接合面(52)に露出することとなる領域(802)には、第２突起部(72)が係合すべき第２溝部(83)が凹設されている。
【００３１】
従って、有底凹部(53)に端子台(８)が設置された後、図１２に示す如くシャーシ本体(50)の枠部(51)に金属板(70)が接合されることにより、第２突起部(72)が第２溝部(83)に係合し、これにより金属板(70)と端子台(８)とが互いに係合することになる。斯くして、金属板(70)と端子台(８)との対向面には、第２突起部(72)と第２溝部(83)とによって構成されて金属板(70)と端子台(８)とを互いに係合させる第２の係合機構が設けられることになる。
【００３２】
更に、本実施形態に係るビデオカメラにおいては、図１３に示す様に（図９及び図１０も参照）、端子台(８)の表面の内、有底凹部(53)に端子台(８)が設置されたときに該有底凹部(53)の側面(532)と対向することとなる領域(803)に、該側面(532)を形成している縁部(55)が係合すべき第３溝部(84)が凹設されている。
【００３３】
上記ビデオカメラによれば、シャーシ本体(50)の枠部(51)と金属板(70)とによって挟持された端子台(８)は、上記係合機構を介して有底凹部(53)及び金属板(70)と係合することになる。これにより、端子台(８)は、収容部(７)に強固に固定されることになる。
【００３４】
図１５に示す如く充電池(９)が収容部(７)に収容されるとき、該収容部(７)の内側へ向いて露出している３つの電池端子(80)〜(80)と充電池(９)との電気的な接続状態を良好なものにするべく、３つの電池端子(80)〜(80)には充電池(９)が押し付けられることになる。従って、３つの電池端子(80)〜(80)の先端部には押圧力が加わることになる。しかし、上記ビデオカメラにおいては、端子台(８)が収容部(７)に強固に固定されているので、３つの電池端子(80)〜(80)の先端部に押圧力が加わった場合でも、端子台(８)は、所定位置、具体的には有底凹部(53)の内側の位置からずれることがない。
【００３５】
従って、上記ビデオカメラによれば、ビス等の留め具を用いずに端子台(８)を収容部(７)に固定することが出来、その結果、電池端子(80)の設置に必要な部品数の削減、組み立て工程の簡略化が実現されることになる。又、収容部(７)への端子台(８)の固定手段としてビス等の留め具が用いられていた従来の電子機器に比べて、端子台(８)を設ける位置及び姿勢の制限が緩和され、電池端子(80)の配置に関して高い設計自由度が得られることになる。
【００３６】
尚、本発明の各部構成は上記実施の形態に限らず、特許請求の範囲に記載の技術的範囲内で種々の変形が可能である。上記実施形態においては、シャーシ本体(50)の枠部(51)と金属板(70)とを接合して収容部(７)が構成されていたが、本発明はこれに限られるものではない。例えば、収容部(７)は、種々の２つの収容部構成部材を接合して構成されていてもよい。この構成においては、該２つの収容部構成部材の接合面の内、少なくとも一方の接合面に有底凹部(53)が開設され、端子台(８)が、電池端子(80)を収容部(７)の内側へ向けた姿勢で有底凹部(53)に設置されると共に、２つの収容部構成部材によって挟持されることになる。
【００３７】
上記実施形態においては、有底凹部(53)と端子台(８)との対向面の内、有底凹部(53)側の対向面に第１突起部(54)が形成され、端子台(８)側の対向面に第１溝部(82)が形成されていたが、本発明はこれに限られるものではない。例えば、有底凹部(53)と端子台(８)との対向面の内、端子台(８)側の対向面に突起部が形成され、有底凹部(53)側の対向面に、該突起部が係合する溝部が形成されていてもよい。
【００３８】
又、有底凹部(53)と端子台(８)とを互いに係合させる係合機構は、互いに係合すべき突起部と溝部とにより構成された機構に限らず、様々な係合部と該係合部が係合する係合受け部とから構成されていてもよい。金属板(70)と端子台(８)とを互いに係合させる第２の係合機構についても同様である。尚、上記ビデオカメラは、第２の係合機構が設けられていない構成を有していてもよい。
【００３９】
更に又、上記ビデオカメラに採用した各種構成は、ビデオカメラに限らず、電池端子が設けられた端子台を具えた種々の電子機器に適用することが出来る。
【符号の説明】
【００４０】
(１)  第１筐体
(２)  第２筐体
(３)  ２軸ヒンジ機構
(４)  把持部
(５)  シャーシ
(50)  シャーシ本体
(51)  枠部（収容部構成部材）
(52)  接合面
(53)  有底凹部
(54)  第１突起部
(７)  収容部
(70)  金属板（収容部構成部材）
(71)  接合面
(72)  第２突起部
(８)  端子台
(80)  電池端子
(82)  第１溝部
(83)  第２溝部
(９)  充電池（電池）
【図１】
2011139275.tif 000003
【図２】
2011139275.tif 000004
【図３】
2011139275.tif 000005
【図４】
2011139275.tif 000006
【図５】
2011139275.tif 000007
【図６】
2011139275.tif 000008
【図７】
2011139275.tif 000009
【図８】
2011139275.tif 000010
【図９】
2011139275.tif 000011
【図１０】
2011139275.tif 000012
【図１１】
2011139275.tif 000013
【図１２】
2011139275.tif 000014
【図１３】
2011139275.tif 000015
【図１４】
2011139275.tif 000016
【図１５】
2011139275.tif 000017